(57)【要約】【課題】回転ドラムにコードを巻き付き収納した構成があたり前とされていた延長用コードを収納する収納装置を、全く新しい発想に基づいた新たな構成とすることで、例えば収納装置に収納した延長用コードを全て引き出さなくとも、必要十分な長さだけ引き出して延長用コードの一部が収納装置内に収納された状態で使用することができ、この際、延長コードに収納されたコードが過熱状態となることを防止することができるこれまでにない可撓性を有する線体の収納装置を提供すること。【解決手段】コード，ロープ，ワイヤーなどの線体１を収納する収納部２に前記線体１が挿通出入りする出入り口部３を設け、この収納部２内に線体１を巻き取り収納する巻き取りドラムを設けずに前記出入り口部３から線体１が収納部２内で湾曲しつつ送り込み若しくは引き込み収納されるように構成した可撓性を有する線体の収納装置。【選択図】        図２
2005033871.tif 000002
【特許請求の範囲】
【請求項１】
コード，ロープ，ワイヤーなどの可撓性を有する長尺な線体を出し入れ自在に収納する収納装置であって、前記線体を収納する収納部に前記線体が挿通出入りする出入り口部を設け、この収納部内に線体を巻き取り収納する巻き取りドラムを設けずに前記出入り口部から線体が収納部内で湾曲しつつ送り込み若しくは引き込み収納されるように構成したことを特徴とする可撓性を有する線体の収納装置。
【請求項２】
前記出入り口部から送り込み若しくは引き込まれる前記線体が前記収納部内面に当接若しくは既に収納されている線体に当接して湾曲若しくは折れ曲がりながら送り込み収納されるように前記収納部の形状及び大きさを設定したことを特徴とする請求項１記載の可撓性を有する線体の収納装置。
【請求項３】
前記収納部を前記線体があふれ出ない閉塞箱体に構成し、この箱状の収納部の外周部に前記収納部内と連通し前記線体が挿通されて出入自在となる出入口を設けて前記出入り口部を前記収納部に設け、前記収納部内の線体を前記出入り口部から引き出し自在に設けたことを特徴とする請求項１，２のいずれか１項に記載の可撓性を有する線体の収納装置。
【請求項４】
前記線体を前記出入り口部から前記収納部内へ送り込む若しくは引き込む線体駆動機構を備えたことを特徴とする請求項１〜３のいずれか１項に記載の可撓性を有する線体の収納装置。
【請求項５】
回転せしめる線体駆動ローラを前記出入り口部から引き出されている若しくは引き込まれている線体に当接し得るように構成し、この線体駆動ローラを回転せしめる回転駆動部若しくは回転操作部を設け、この線体駆動ローラの自動若しくは手動による回転によって前記線体を前記出入り口部から前記収納部に送り込み若しくは引き込み収納し得るように前記線体駆動機構を構成したことを特徴とする請求項４記載の可撓性を有する線体の収納装置。
【請求項６】
前記線体駆動機構を前記収納部の外部に設けて、この線体駆動機構により前記線体を前記収納部内へ引き込みではなく、送り込み収納するように構成したことを特徴とする請求項４，５のいずれか１項に記載の可撓性を有する線体の収納装置。
【請求項７】
前記線体を電気コードとしたことを特徴とする請求項１〜６いずれか１項に記載の可撓性を有する線体の収納装置。
【請求項８】
前記電気コードとした前記線体の外出端部にプラグ等のコネクタ部を設け、この線体の前記収納部内の内在端部と接続されるコンセント部をこの収納部若しくは収納部を設ける装置体の所定カ所に露出若しくは露出可能に設けたことを特徴とする請求項７記載の可撓性を有する線体の収納装置。
【発明の詳細な説明】
【０００１】
【発明の属する技術分野】
本発明は、コード，ロープ，ワイヤーなどの可撓性を有する線体の収納装置に関するものである。
【０００２】
【従来の技術及び発明が解決しようとする課題】
例えば、工事現場などで使用される延長用コードの収納装置として、この延長用コードを巻き取り収納する回転ドラムと、回転ドラムを回転自在に支持する基体とから成るものがある。
【０００３】
この収納装置（以下、従来例という。）は、プラグを端部に設けた長尺な延長用のコードを回転ドラムに巻き取り収納し、この回転ドラムには例えば電動器具のプラグを差し込み電気を供給し得るコンセント部を設けた構成としている。
【０００４】
この従来例によれば、ドリルなどの電動器具を電源から離れたところで使用する場合に、回転ドラムから延長用コードを引き出して端部のプラグを前記電源に接続し、回転ドラムから延長用コード前記電動器具を使用する場所まで更に引き出して前記回転ドラムを移動し、この回転ドラムのコンセント部に電動機器のプラグを差し込むことでこの電動機器に電気を供給し、これにより、電源から離れた場所においても電動機器を使用可能とするものである。
【０００５】
ところで、この従来例は、電源からかなり離れた場所まで電気を供給することができるように、回転ドラムに巻き付き収納された延長用コードはかなり長尺な設定となっている。
【０００６】
そのため、電源からかなりの距離離れなければ、回転ドラムから電気コードが全て引き出されない。
【０００７】
しかしながら、回転ドラムに延長用コードが巻き付き収納した状態で通電すると、通電により延長用コードが発熱し、前記延長用コードは密に巻き付いた状態となっていることから、熱が増幅されて延長用コードが過熱状態となり、延長用コードの外面を覆う樹脂が熱により溶けてしまうなどの問題点を有する。
【０００８】
従って、この延長用コードを使用する際には、通常、回転ドラムから電気コードを全て引き出してから使用している。
【０００９】
そのため、必要以上に延長用コードを引き出す手間がかかる上に、引き出した延長用コードが収納装置の周囲に無造作に置かれるために、作業現場が乱雑となり、作業性を低下させる原因となっている。
【００１０】
本発明は、回転ドラムにコードを巻き付き収納した構成があたり前とされていた延長用コードを収納する収納装置を、全く新しい発想に基づいた新たな構成とすることで、例えば収納装置に収納した延長用コードを全て引き出さなくとも、必要十分な長さだけ引き出して延長用コードの一部が収納装置内に収納された状態で使用することができ、この際、延長コードに収納されたコードが過熱状態となることを防止することができるこれまでにない可撓性を有する線体の収納装置を提供することを目的としている。
【００１１】
【課題を解決するための手段】
添付図面を参照して本発明の要旨を説明する。
【００１２】
コード，ロープ，ワイヤーなどの可撓性を有する長尺な線体１を出し入れ自在に収納する収納装置であって、前記線体１を収納する収納部２に前記線体１が挿通出入りする出入り口部３を設け、この収納部２内に線体１を巻き取り収納する巻き取りドラムを設けずに前記出入り口部３から線体１が収納部２内で湾曲しつつ送り込み若しくは引き込み収納されるように構成したことを特徴とする可撓性を有する線体の収納装置に係るものである。
【００１３】
また、前記出入り口部３から送り込み若しくは引き込まれる前記線体１が前記収納部２内面に当接若しくは既に収納されている線体１に当接して湾曲若しくは折れ曲がりながら送り込み収納されるように前記収納部２の形状及び大きさを設定したことを特徴とする請求項１記載の可撓性を有する線体の収納装置に係るものである。
【００１４】
また、前記収納部２を前記線体１があふれ出ない閉塞箱体に構成し、この箱状の収納部２の外周部に前記収納部２内と連通し前記線体１が挿通されて出入自在となる出入口を設けて前記出入り口部３を前記収納部２に設け、前記収納部２内の線体１を前記出入り口部３から引き出し自在に設けたことを特徴とする請求項１，２のいずれか１項に記載の可撓性を有する線体の収納装置に係るものである。
【００１５】
また、前記線体１を前記出入り口部３から前記収納部２内へ送り込む若しくは引き込む線体駆動機構４を備えたことを特徴とする請求項１〜３のいずれか１項に記載の可撓性を有する線体の収納装置に係るものである。
【００１６】
また、回転せしめる線体駆動ローラ４Ａを前記出入り口部３から引き出されている若しくは引き込まれている線体１に当接し得るように構成し、この線体駆動ローラ４Ａを回転せしめる回転駆動部若しくは回転操作部４Ｂを設け、この線体駆動ローラ４Ａの自動若しくは手動による回転によって前記線体１を前記出入り口部３から前記収納部２に送り込み若しくは引き込み収納し得るように前記線体駆動機構４を構成したことを特徴とする請求項４記載の可撓性を有する線体の収納装置に係るものである。
【００１７】
また、前記線体駆動機構４を前記収納部２の外部に設けて、この線体駆動機構４により前記線体１を前記収納部２内へ引き込みではなく、送り込み収納するように構成したことを特徴とする請求項４，５のいずれか１項に記載の可撓性を有する線体の収納装置に係るものである。
【００１８】
また、前記線体１を電気コードとしたことを特徴とする請求項１〜６いずれか１項に記載の可撓性を有する線体の収納装置に係るものである。
【００１９】
また、前記電気コードとした前記線体１の外出端部にプラグ等のコネクタ部を設け、この線体１の前記収納部２内の内在端部と接続されるコンセント部をこの収納部２若しくは収納部２を設ける装置体の所定カ所に露出若しくは露出可能に設けたことを特徴とする請求項７記載の可撓性を有する線体の収納装置に係るものである。
【００２０】
【発明の実施の形態】
好適と考える本発明の実施の形態（発明をどのように実施するか）を、図面に基づいてその作用効果を示して簡単に説明する。
【００２１】
線体１を収納部２内に出入り口部３を介して収納していくと、前記線体１は収納部２内において巻き取りドラムに巻き取られて収納されていくのではなく、収納部２内に単に湾曲しつつ送り込み若しくは引き込みされて収納されることになる。
【００２２】
従って、本発明は、巻き取りドラムなどで線体１をきつい密な状態で巻き取り収納するのではなく、線体１と線体１との間に空間が生じ得る疎な状態で収納部２内に収納することができる。
【００２３】
これにより収納部２内に線体１として例えば電気コード１を収納した場合には、収納部２内の電気コード１が通電により発熱しても、この熱は電気コード１間に生じた空間を介して放熱できることとなり、よって、電気コード１が過熱状態となることを防止でき、よって、収納部２内の電気コード１を全て引き出さずとも、必要十分な長さだけ引き出して使用することができる。
【００２４】
また、例えば、前記出入り口部３から送り込み若しくは引き込まれる前記線体１が前記収納部２内面に当接若しくは既に収納されている線体１に当接して湾曲若しくは折れ曲がりながら送り込み収納されるように前記収納部２の形状及び大きさを設定すれば、線体１を疎な状態で収納し得る収納部２を確実に形成することができ、また、収納したい線体１の長さに応じて前記収納部２の形状及び大きさを簡易に設定でき、これにより、利便性に秀れた収納部２を形成できることとなるなど、一層実用的となる。
【００２５】
また、例えば、前記収納部２を前記線体１があふれ出ない閉塞箱体に構成し、この箱状の収納部２の外周部に前記収納部２内と連通し前記線体１が挿通されて出入自在となる出入口を設けて前記出入り口部３を前記収納部２に設け、前記収納部２内の線体１を前記出入り口部３から引き出し自在に設ければ、収納部２内に線体１を溢れさせることなく収納して前記線体１を前記収納部２内に確実に収納保持することができ、また、出入り口部３を介して収納部２から所望する長さの線体１を容易に引き出せることとなるなど、一層実用的となる。
【００２６】
また、例えば、前記線体１を前記出入り口部３から前記収納部２内へ送り込む若しくは引き込む線体駆動機構４を備えれば、この線体駆動機構４の駆動により収納部２内に線体１を送り込み若しくは引き込みすることができ、これにより、簡易且つスムーズに線体１を前記収納部２内に収納できることとなるなど、一層実用的となる。
【００２７】
また、例えば、回転せしめる線体駆動ローラ４Ａを前記出入り口部３から引き出されている若しくは引き込まれている線体１に当接し得るように構成し、この線体駆動ローラ４Ａを回転せしめる回転駆動部若しくは回転操作部４Ｂを設け、このローラ４Ａの自動若しくは手動による回転によって前記線体１を前記出入り口部３から前記収納部２に送り込み若しくは引き込み収納し得るように前記線体駆動機構４を構成すれば、線体駆動ローラ４Ａを回転せしめる回転駆動部若しくは回転操作部４Ｂを回転操作するだけで、線体１を出入り口部３から収納部２に送り込み若しくは引き込み収納することができ、これにより、簡易な操作で線体１を収納部２内に収納することができ、しかも、簡易な構成によって前記線体駆動機構４を形成できることとなるなど、一層実用的となる。
【００２８】
また、例えば、前記線体駆動機構４を前記収納部２の外部に設けて、この線体駆動機構４により前記線体１を前記収納部２内へ引き込みではなく、送り込み収納するように構成すれば、線体駆動機構４を収納部２の外部に設けた分、収納部２内に収納できる線体１の量を多くすることができ、また、線体駆動機構４を収納部２と別個に設けたことで、前記収納部２をより簡易な構成により形成できることとなる。
【００２９】
即ち、例えば、線体駆動機構を収納体内に設けると、線体を収納体に収納する際に、駆動する線体駆動機構に線体が絡まったりする懸念が生じることから、これを防止するために、収納体と線体駆動機構とを仕切る仕切り構造若しくは線体の絡まり防止機構などを設ける必要があり、これにより、収納体の構成が複雑となり得る問題を有するが、この点、線体駆動機構４を収納部２外に設ける本発明はその必要は生じず、前述のように、収納部２をより簡易な構成で形成できることとなるなど、一層実用的となる。
【００３０】
また、例えば、前記線体１を電気コード１とすれば、前述のように、収納部２内に収納された電気コード１は、電気コード１間に空間が存在した状態となっているため、通電により電気コード１が発熱しても、前記空間を介して放熱することができるため、電気コード１が過熱状態となることを防止することができ、これにより、使用時には、電気コード１を収納部２からすべて引き出さなくても必要な長さだけ引き出して電動器具などを接続して使用できることとなるなど、一層実用的となる。
【００３１】
また、例えば、前記電気コードとした前記線体１の外出端部にプラグ等のコネクタ部を設け、この線体１の前記収納部２内の内在端部と接続されるコンセント部をこの収納部２若しくは収納部２を設ける装置体の所定カ所に露出若しくは露出可能に設ければ、前記コンセント部に電動機器のコネクタ部を容易に接続可能となり、また、収納部２に対して電気コード１を前記線体駆動機構４の駆動により出し入れしても、この線体駆動機構４の駆動（出し入れ動作）によって前記コンセント部が回転等することがなく、これにより、電気コード１の外出端部に設けたプラグ等のコネクタ部を電源に差し込み、線体１の収納部２内の内在端部と接続されるコンセント部に使用したい電動器具のプラグ等のコネクタ部を差し込んだ状態のままで、収納部２を電気コード１を使用したい部位まで移動させることができる。
【００３２】
即ち、従来の回転ドラム式の延長コードは、回転ドラムにプラグ等を接続するためのコネクタ部が設けられているため、使用したい電動器具のプラグ等のコネクタ部を回転ドラムのコンセント部に接続した状態で電気コードを引き出すと回転ドラムが回転し前記接続した電動器具のコネクタ部が回転してしまうために、電動器具と従来の収納装置とを接続した状態で所望する位置まで移動することができなかった。
【００３３】
この点、本発明は、使用する電動器具のプラグ等のコネクタ部を前記コンセント部に差し込んだ状態で、所望部位まで（即ち、電気コードが所定長さ引き出されるまで）移動でき、そのまま電動器具を使用して秀れた作業性を発揮できることとなるなど、一層実用的となる。
【００３４】
【実施例】
図面は本発明の一実施例を図示したものであり、以下に説明する。
【００３５】
本実施例は、線体１として長尺な電気コード１を採用したもので、この電気コード１を収納し得る収納装置に関するものである。
【００３６】
本実施例は、収納装置本体６（以下、本体６という。）を縦長箱状に形成し、この本体６に電気コード１を収納する収納部２を設け、この収納部２に前記電気コード１が挿通出入りする出入り口部３を設け、この収納部２内に電気コード１を巻き取り収納する巻き取りドラムを設けずに前記出入り口部３から電気コードが収納部２内で湾曲しつつ送り込み若しくは引き込み収納されるように構成している。
【００３７】
収納部２は、前記出入り口部３から送り込み若しくは引き込まれる前記電気コード１が前記収納部２内面に当接若しくは既に収納されている電気コード１に当接して湾曲若しくは折れ曲がりながら送り込み収納され得る形状及び大きさに形成された構成としている。
【００３８】
即ち、前記収納部２を前記電気コード１が溢れ出ない閉塞箱体に構成し、この箱状の収納部２の外周部に前記収納部２内と連通し前記電気コード１が挿通されて出入自在となる出入口を設けて前記出入り口部３を前記収納部２に設け、この出入り口部３を介して前記収納部２内に電気コード１を送り込み収納自在及び引き出し自在に設けた構成としている。
【００３９】
具体的には、収納部２は、図１，図２に示すように、天板部，底板部及び前後左右に配設される側壁部により形成される閉塞縦長箱体で構成している。
【００４０】
収納部２を天板部，底板部及び前記側壁部で形成した閉塞箱状としたことで、電気コード１を収納部２内に順次送り込み収納した際に、この電気コード１が収納部２から収納部２外へ溢れ出ることなく、良好に収納保持することができる。
【００４１】
従って、例えば収納部２の上部から収納部２内に送り込み収納する電気コード１を、収納部２の下方から上方にかけて重合状態で収納することができ、よって、収納部２が縦長な分、より長尺な電気コード１を収納することができる。
【００４２】
また、収納部２の大きさは、長尺な電気コード１を収納することができ、且つ、本体６が全体的に大きくなり過ぎない大きさに設定している。
【００４３】
これにより、長尺な電気コード１を良好に収納することができ、その上、容易に持ち運びできる収納装置を実現することができる。
【００４４】
収納部２には、前述のように、電気コード１が挿通出入りする出入り口部３を設けた構成としている。
【００４５】
具体的には、この縦長箱状の収納部２の外周部に前記収納部２内と連通し電気コード１を収納部２に対して出入自在となる出入口を設けて前記出入り口部３とし、収納部２内の電気コード１を出入り口部３から引き出し自在及び収納部２内へ電気コード１を送り込み収納自在に設けた構成としている。
【００４６】
更に具体的には、図２に示すように、収納部２の上部一側面部に電気コード１が挿通し得る挿通孔３Ａを設けて前記出入口とし、これにより、前記出入り口部３を収納部２に設けた構成としている。
【００４７】
この挿通孔３Ａの径は、電気コード１の径よりも大きく、且つ、電気コード１を挿通出入りさせた際に、この電気コード１が挿通孔３Ａ内で大きくがたつかない大きさに設定した構成としている。
【００４８】
これは、収納部２に対して電気コード１をスムーズに引き出せるようにするためであり、また、収納部２に電気コード１を送り込み収納した際に、例えば挿通孔３Ａの径が大き過ぎることで電気コード１が挿通孔３Ａに対して左右に大きくがたつくなどして収納部２内への電気コード１のスムーズな収納が妨げられることを防止するためである。
【００４９】
従って、挿通孔３Ａを介して電気コード１を、収納部２内に前記挿通孔３Ａに対してがたつくことなくスムーズに送り込むことができ、よって、電気コード１の収納部２に対する送り込み，引き出し作業を非常に作業性良く行うことができる。
【００５０】
電気コード１を出入り口部３から収納部２内へ送り込む若しくは引き込む線体駆動機構４を本体６に備えた構成としている。
【００５１】
具体的には、この線体駆動機構４を本体６内にして収納部２の外部に設けて、この線体駆動機構４により電気コード１を収納部２内へ引き込みではなく、送り込み収納するように構成している。
【００５２】
更に具体的には、本実施例では、本体６の上部角部にして前記出入り口部３近傍部位に線体駆動機構４を設けた構成としている。
【００５３】
即ち、縦長箱状に形成した前記本体６から突出しないように前記線体駆動機構４を設けた構成としている。
【００５４】
従って、本体６となる閉塞縦長箱体内に、収納部２と線体駆動機構４とを配設でき、しかも、線体駆動機構４は本体６内に収まるように配設されているために収納装置全体を非常にコンパクトに形成することができ、よって、長尺な電気コード１を良好に収納できる上に、持ち運びし易く載置スペースも必要最小限に設定した収納装置を実現することができる。
【００５５】
線体駆動機構４について述べれば、回転せしめる線体駆動ローラ４Ａを前記出入り口部３から引き出されている電気コード１に当接し得るように構成し、前記線体駆動ローラ４Ａにはこの線体駆動ローラ４Ａを回転せしめる回転操作部４Ｂを設け、この線体駆動ローラ４Ａの手動による回転によって前記電気コード１を前記出入り口部３から前記収納部２に送り込み収納し得るように構成している。
【００５６】
具体的には、線体駆動ローラ４Ａは、この線体駆動ローラ４Ａの近傍に設けた挟持ローラ１０と共に電気コード１を挟持し得る位置に配設した構成としている。
【００５７】
即ち、出入り口部３に対して挿通出入りする電気コード１の上面部若しくは下面部に当接し得るように前記線体駆動ローラ４Ａを設け、電気コード１を介して前記線体駆動ローラ４Ａに対向する位置に前記挟持ローラ１０を設けた構成としている。
【００５８】
本実施例では、出入り口部３に対して挿通出入りする電気コード１の下方位置に線体駆動ローラ４Ａを配設してこの電気コード１に下方から当接し、前記電気コード１の上方位置に挟持ローラ１０を配設してこの電気コード１に上方から当接し、これにより、線体駆動ローラ４Ａと挟持ローラ１０とにより電気コード１を上下で挟持し得るように前記線体駆動ローラ４Ａ及び挟持ローラ１０を配設した構成としている。
【００５９】
即ち、図３に示すように、出入り口部３を介して挿通出入りする電気コード１の上下位置にして本体６の左右側部間（図３における右手前及び左奥間）に軸部１０Ｃ，４Ｃを架設し、この軸部１０Ｃ，４Ｃに挟持ローラ１０と線体駆動ローラ４Ａとを配設した構成としている。
【００６０】
また、電気コード１の上方位置に配設される挟持ローラ１０は軸部１０Ｃに対して回動自在に設け、電気コード１の下方位置に配設される線体駆動ローラ４Ａは軸部４Ｃと共に回動し得るように構成している。
【００６１】
そして、線体駆動ローラ４Ａを軸支する軸部４Ｃの一方端部に、前記回転操作部４Ｂとなるハンドル４Ｂを付設し、このハンドル４Ｂを回転操作することで軸部４Ｃを介して線体駆動ローラ４Ａを回動し得るように構成している。
【００６２】
これにより、電気コード１が線体駆動ローラ４Ａ及び挟持ローラ１０により挟持された状態で前記線体駆動ローラ４Ａをハンドル４Ｂの回転操作により回転させることで、電気コード１は線体駆動ローラ４Ａの回転に伴ってこの線体駆動ローラ４Ａの回転方向に、電気コード１を送り動することができる。
【００６３】
尚、本実施例では、線体駆動ローラ４Ａを軸支する軸部４Ｃの端部に付設したハンドル４Ｂを手動で回転操作することで、電気コード１を送り動し得るように構成したが、線体駆動ローラ４Ａを回転せしめる回転駆動部を本体６に設け、この回転駆動部の駆動により、線体駆動ローラ４Ａを自動回動させて電気コード１を送り動するように構成しても良い。この場合には、回動駆動部として例えば電動モータ等の自動駆動装置を採用すると良い。線体駆動ローラ４Ａの回動を回動駆動部による自動回動とすれば、例えばボタン操作ひとつで電気コード１の収納部への送り込み収納を行うことができる。
【００６４】
挟持ローラ１０若しくは線体駆動ローラ４Ａを、線体駆動ローラ４Ａ若しくは挟持ローラ１０に対して接離自在とする接離機構２０を本体６に設けた構成としている。
【００６５】
本実施例では、電気コード１の上方に配設される挟持ローラ１０を線体駆動ローラ４Ａに対して接離自在に配設し前記接離機構２０を構成している。
【００６６】
具体的には、挟持ローラ１０を線体駆動ローラ４Ａに近接した際、挟持ローラ１０と線体駆動ローラ４Ａとの間隔が狭まることで、この挟持ローラ１０が電気コード１を線体駆動ローラ４Ａに対して押圧当接して前記電気コード１を挟持した状態とし、挟持ローラ１０を線体駆動ローラ４Ａから離反した際、この挟持ローラ１０と線体駆動ローラ４Ａとの間隔が広がることで、電気コード１が挟持ローラ１０及び線体駆動ローラ４Ａに挟持されない状態とし得るように前記接離機構２０を構成している。
【００６７】
即ち、接離機構２０は、挟持ローラ１０を軸支する軸部１０Ｃを本体６の左右側部間に架設状態で係止する係合孔２１を逆Ｊ字状に形成し、この逆Ｊ字状に形成した係合孔２１の一方端部で軸部１０Ｃを係止した際は挟持ローラ１０を線体駆動ローラ４Ａに近接して電気コード１を挟持し送り込み収納可能とし、前記係合孔２１の他方端部で軸部１０Ｃを係止した際は挟持ローラ１０を線体駆動ローラ４Ａに対して離反して電気コード１を開放状態とし収納部２から引き出し自在とすることで形成した構成としている。
【００６８】
尚、本実施例では係合孔２１を逆Ｊ字状に形成した構成としたが、この係合孔２１の形状は、挟持ローラ１０を線体駆動ローラ４Ａに対して接離可能とする形状であれば適宜採用しても良く、例えば、逆Ｌ字状や逆Ｕ字状としても良い。
【００６９】
これにより、電気コード１を線体駆動ローラ４Ａと挟持ローラ１０とで挟持した状態でハンドル４Ｂを回転操作すると、電気コード１は、前述のように、線体駆動ローラ４Ａと挟持ローラ１０とで挟持されていることから、線体駆動ローラ４Ａの回転作動を電気コード１に良好に伝えて電気コード１を効率良く収納部２内に送り込みできる。
【００７０】
また、電気コード１を線体駆動ローラ４Ａと挟持ローラ１０とで挟持されない状態とすれば、電気コード１は遊離状態となるために、収納部２から電気コード１を非常にスムーズに引き出すことができる。
【００７１】
また、接離機構２０は、逆Ｊ字状の係合孔２１を形成するという簡易な構成により実現できるため、送り込み収納するときに電気コード１を線体駆動ローラ４Ａと挟持ローラ１０とで挟持し、引き出す際に挟持しない状態として秀れた送り込み，引き出し動作を実現し得る収納装置を簡易に製造可能となる。
【００７２】
本実施例では、電気コード１を収納部２に送り込み収納する際に前記挟持し、電気コード１を収納部２から引き出す際に前記挟持しない構成としたが、線体駆動機構４を設けずに、手で電気コード１を出入り口部３を介して収納部２に送り込み収納したり、収納部２から出入り口部３を介して引き出したりする構成としても良い。また、電気コード１を線体駆動ローラ４Ａと挟持ローラ１０とで常に挟持した状態とし、ハンドル４Ｂの回転操作によって前記電気コード１を収納部２に送り込み収納したり、引き出したりできるように構成しても良い。
【００７３】
しかしながら、本実施例のように、電気コード１を収納部２に収納する際にハンドル４Ｂの回転操作により送り込み収納し、引き出す際には手で収納部２から無造作に電気コード１を引き出せる構成とすることで、より一層操作性，作業性に秀れた収納装置を製作することができる。
【００７４】
挟持ローラ１０を軸支する軸部１０Ｃには、挟持ローラ１０が線体駆動ローラ４Ａに近接する方向に弾性付勢する弾性体２２を設けた構成としている。
【００７５】
具体的には、この弾性体２２は軸部１０Ｃの両端部位に配設した構成とし、夫々の弾性体２２の一端部を軸部１０Ｃの端部に係合係止し、他端部を前記係合孔２１よりも下方位置の本体６の左右側部（左右側壁部）に夫々突設した取付部２３に係合係止した構成としている。
【００７６】
これにより、係合孔２１の一方端部（図３における手前下方端部）に軸部１０Ｃを前記弾性体２２の弾性作用により付勢しつつ配設することで、挟持ローラ１０と線体駆動ローラ４Ａとにより電気コード１を押圧挟持し、この状態でハンドル４Ｂを回転操作することで前記電気コード１を収納部２内に送り込み収納することができ、また、係合孔２１の他方端部（図３における奥側端部）に軸部１０Ｃを弾性体２２の弾性作用に抗して配設することで、挟持ローラ１０と線体駆動ローラ４Ａとにより電気コード１を挟持しない状態とし、この状態で電気コード１を手で引き出すことで収納部２から電気コード１を引き出すことができる。
【００７７】
これにより、電気コード１は線体駆動ローラ４Ａに向けて付勢される挟持ローラ１０によって、線体駆動ローラ４Ａに押圧されつつ挟持されるため、ハンドル４Ｂを回転操作し線体駆動ローラ４Ａを回転した際に、線体駆動ローラ４Ａ若しくは挟持ローラ１０が電気コード１に対して空回りすることを防止でき、これにより、線体駆動ローラ４Ａの回転により電気コード１を収納部２内に一層効率よく送り込み収納することができる。
【００７８】
線体駆動機構４近傍には、挟持ローラ１０及び線体駆動ローラ４Ａ間に電気コード１を導入ガイドし、且つ、収納部２から線体駆動機構４を介して引き出される電気コード１を引き出しガイドするガイドローラ部２５を設けた構成としている。
【００７９】
具体的には、このガイドローラ部２５は、図１〜図３に示すように、前記線体駆動機構４よりも本体６の外方角部に配設した構成としている。
【００８０】
更に具体的には、本体６の上部一角部にあたる左右側部間に軸部２５Ｃを二本並設状態に設け、この軸部２５Ｃの夫々にローラ体２５Ａを回動自在にして前記電気コード１を上下方向から挟持するように設けた構成としている。
【００８１】
これにより、電気コード１は上下夫々のローラ体２５Ａによって挟持されガイドされるため、電気コード１を収納部２に収納する際には挟持ローラ１０と線体駆動ローラ４Ａとの間に前記電気コード１を位置ずれすることなく導入ガイドしてスムーズな送り込み収納を実現でき、電気コード１を収納部２から引き出す際には、電気コード１を収納部２から手で無造作に引き出しても、前述のように、電気コード１は上下のローラ体２５Ａによって挟持されているため、このガイドローラ部２５からスムーズに引き出すことができる。また、電気コード１がガイドローラ部２５によってガイドされていることにより、電気コード１の引き出し時にも、電気コード１が挟持ローラ１０と線体駆動ローラ４Ａとの間に位置した状態を保持でき、これにより、線体駆動ローラ４Ａに対して挟持ローラ１０を離反した状態から、単に挟持ローラ１０を前記接離機構２０により線体駆動ローラ４Ａに近接作動させるだけで、電気コード１を挟持ローラ１０及び線体駆動ローラ４で挟持し送り込み収納可能な状態にすることができる。
【００８２】
本体６には、前記収納部２内に収納された電気コード１に通電した際に、前記電気コード１から生じる熱を収納部２外へ放出するための放熱部８を設けた構成としている。
【００８３】
具体的には、本体６の外面部に収納部２内と外気とを通気可能とする連通孔８Ａを複数設けることで前記放熱部８を構成している。
【００８４】
これは、収納部２内に電気コード１を収納した状態で前記電気コード１に通電し、この通電により電気コード１が発熱した際に、前記連通孔８Ａ（放熱部８）を介して前記熱を収納部２外へ放出し、収納部２内に収納された電気コード１が過熱状態となることを防止するためである。
【００８５】
これにより、収納部２内に電気コード１が収納された状態であっても、電動器具のプラグを接続して使用することができる。
【００８６】
前記電気コード１の外出端部にプラグ等のコネクタ部を設け、この電気コード１の前記収納部２内の内在端部と接続されるコンセント部１１をこの収納部２若しくは収納部２を設ける装置体の所定カ所に露出若しくは露出可能に設けた構成としている。
【００８７】
具体的には、本体６の外面部にして出入り口部３の形成側とは反対側にコンセント部１１を設けた構成としている。
【００８８】
更に具体的には、図２に示すように、本体６における出入り口部３形成側とは反対側の下端部にコンセント部１１を設けた構成としている。
【００８９】
これにより、出入り口部３を介して電気コード１を収納部２に送り込み収納したり収納部２から電気コード１を引き出したりしても、コンセント部１１は回動することはなく、よって、電動器具のプラグ等のコネクタ部をコンセント部１１に接続した状態で電気コード１を収納部２に送り込み収納したり収納部２から引き出すことができる。
【００９０】
即ち、従来の延長用コードの収納装置は、従来技術の項で述べたように、基体に対して回転自在に配設した回転ドラムにコンセント部が設けられており、電気コードを引き出すと、回転ドラムは回転してしまうことから、電動器具のプラグ等のコネクタ部を本体部のコンセント部に接続した状態で電気コードを収納体から引き出したり巻き取り収納したりすることができず、これにより、電気コードと前記従来の収納装置を連結した状態で移動することができなかった。
【００９１】
この点、本実施例は、前述のように、収納部２に対して電気コード１を出し入れしても、コンセント部１１が回動することはないため、使用したい電動器具のプラグをコンセント部１１に接続した状態で移動することができ、よって、秀れた作業性を発揮することができる。
【００９２】
尚、図中符号１２は収納部２に収納される電気コード１に接続し、前記電気コード１を更に延長可能とする延長用の電気コードであり、符号２４はこの延長用の電気コード１２を収納するための収納部である。
【００９３】
また、図中符号２６は、出入り口部３を介して電気コード１が収納部２内へ送り込まれた際、この電気コード１を収納部２下方へガイドする導入ガイド板２６であり、符号２７は、収納部２内に収納された電気コード１がコンセント部１１に当接することを防止する遮蔽板である。
【００９４】
尚、本発明は、本実施例に限られるものではなく、各構成要件の具体的構成は適宜設計し得るものである。
【００９５】
【発明の効果】
本発明は上述のように構成したから、回転ドラムにコードを巻き付き収納した構成があたり前とされていた延長用コードを収納する収納装置を、全く新しい発想に基づいた新たな構成とすることで、例えば収納装置に収納した延長用コードを全て引き出さなくとも、必要十分な長さだけ引き出して延長用コードの一部が収納装置内に収納された状態で使用することができ、この際、延長コードに収納されたコードが過熱状態となることを防止することができるこれまでにない可撓性を有する線体の収納装置となる。
【００９６】
即ち、本発明は、巻き取りドラムなどで線体をきつい密な状態で巻き取り収納するのではなく、線体と線体との間に空間が生じ得る疎な状態で収納体内に収納することができる。
【００９７】
これにより、例えば収納体内に線体として電気コードを収納した場合には、収納体内の電気コードが通電により発熱しても、この熱は電気コード間に生じた空間を介して放熱できることとなり、よって、電気コードが過熱状態となることを防止でき、よって、収納体内の電気コードを全て引き出さずとも、必要十分な長さだけ引き出して使用することができる画期的な可撓性を有する線体の収納装置となる。
【００９８】
また、請求項２記載の発明においては、線体を疎な状態で収納し得る収納部を確実に形成することができ、また、収納したい線体の長さに応じて前記収納部の形状及び大きさを簡易に設定でき、これにより、利便性に秀れた収納部を形成することができる極めて実用性に秀れた画期的な可撓性を有する線体の収納装置となる。
【００９９】
また、請求項３記載の発明においては、収納部内に線体を溢れさせることなく収納して前記線体を前記収納部内に確実に収納保持することができ、また、出入り口部を介して収納部から所望する長さの線体を容易に引き出すことができる極めて実用性に秀れた画期的な可撓性を有する線体の収納装置となる。
【０１００】
また、請求項４記載の発明においては、この線体駆動機構の駆動により収納部内に線体を送り込み若しくは引き込みすることができ、これにより、簡易且つスムーズに線体を前記収納部内に収納することができる極めて操作性，作業性に秀れた画期的な可撓性を有する線体の収納装置となる。
【０１０１】
また、請求項５記載の発明においては、線体駆動ローラを回転せしめる回転駆動部若しくは回転操作部を回転操作するだけで、線体を出入り口部から収納部に送り込み若しくは引き込み収納することができ、これにより、簡易な操作で線体を収納部内に収納することができ、しかも、簡易な構成によって前記線体駆動機構を形成することができる一層操作性に秀れた画期的な可撓性を有する線体の収納装置となる。
【０１０２】
また、請求項６記載の発明においては、線体駆動機構を収納部の外部に設けた分、収納部内に収納できる線体の量を多くすることができ、また、線体駆動機構を収納部と別個に設けたことで、前記収納部をより簡易な構成により形成することができる。
【０１０３】
即ち、例えば、線体駆動機構を収納体内に設けると、線体を収納体に収納する際に、駆動する線体駆動機構に線体が絡まったりする懸念が生じることから、これを防止するために、収納体と線体駆動機構とを仕切る仕切り構造若しくは線体の絡まり防止機構などを設ける必要があり、これにより、収納体の構成が複雑となり得る問題を有するが、この点、線体駆動機構を収納部外に設ける本発明はその必要は生じず、前述のように、収納部をより簡易な構成で形成することができるより一層実用性に秀れた可撓性を有する線体の収納装置となる。
【０１０４】
また、請求項７記載の発明においては、収納部内に収納された電気コードは、電気コード間に空間が存在した状態となっているため、通電により電気コードが発熱しても、前記空間を介して放熱することができるため、電気コードが過熱状態となることを防止することができ、これにより、使用時には、電気コードを収納部からすべて引き出さなくても必要な長さだけ引き出して電動器具などを接続して使用することができる極めて作業性に秀れた画期的な可撓性を有する線体の収納装置となる。
【０１０５】
また、請求項８記載の発明においては、前記コンセント部に電動機器のコネクタ部を容易に接続可能となり、また、収納部に対して電気コードを前記線体駆動機構の駆動により出し入れしても、この線体駆動機構の駆動（出し入れ動作）によって前記コンセント部が回転等することがなく、これにより、電気コードの外出端部に設けたプラグ等のコネクタ部を電源に差し込み、線体の収納部内の内在端部と接続されるコンセント部に使用したい電動器具のプラグ等のコネクタ部を差し込んだ状態のままで、収納部を電気コードを使用したい部位まで移動させることができる。
【０１０６】
即ち、従来の回転ドラム式の延長コードは、回転ドラムにプラグ等を接続するためのコネクタ部が設けられているため、使用したい電動器具のプラグ等のコネクタ部を回転ドラムのコンセント部に接続した状態で電気コードを引き出すと回転ドラムが回転し前記接続した電動器具のコネクタ部が回転してしまうために、電動器具と従来の収納装置とを接続した状態で所望する位置まで移動することができなかった。
【０１０７】
この点、本発明は、使用する電動器具のプラグ等のコネクタ部を前記コンセント部に差し込んだ状態で、所望部位まで（即ち、電気コードが所定長さ引き出されるまで）移動でき、そのまま電動器具を使用して秀れた作業性を発揮することができる極めて実用性に秀れた可撓性を有する線体の収納装置となる。
【図面の簡単な説明】
【図１】本実施例の全体斜視図である。
【図２】本実施例の全体側断面図である。
【図３】本実施例の線体駆動機構を示す要部の拡大説明斜視図である。
【図４】本実施例の線体駆動機構及び挟持ローラの動きを示す拡大説明側断面図である。
【図５】本実施例のコンセント部を示す説明背面図である。
【符号の説明】
１  線体
２  収納部
３  出入り口部
４  線体駆動機構
４Ａ  線体駆動ローラ
４Ｂ  回転操作部
【図１】
2005033871.tif 000003
【図２】
2005033871.tif 000004
【図３】
2005033871.tif 000005
【図４】
2005033871.tif 000006
【図５】
2005033871.tif 000007